(57)【要約】本発明は、植木鉢の位置が移動可能な下敷装置に関するものであり、その目的は水を利用して植物を栽培する植物栽培装置の保存部材上面を覆うように下敷装置を構成することで、上面のある位置に植木鉢を安着させても植木鉢側に水分を供給することができるようにすることと共に植木鉢から土の排出を遮断することができて、給水手段の故障を防止することができるし、保存部材の上面を覆うことによって空気中のほこりや植栽された植物の葉が流入することを遮断することができて、水の汚染を防止できるようにすることにあり、このような目的は保存部材の上面に安着されることによってお互いに連結されて、保存部材の上面を覆うように板状で形成されるが、板上には上面に植木鉢の位置を移動可能に安着させることによって植栽された植物側に水分(水)を供給可能になるように複数の水分供給用ホールがそれぞれ形成されて具備される下敷部材と、前記取捨選択された水分供給用ホールを除いた残りをそれぞれ覆って空気中のほこりや植栽された植物の葉が保存部材側に流入することを防止可能になるように具備されるホール栓部材を含んでなされることを特徴とすることによって達成される。
2013543737.tif 000002
【特許請求の範囲】
【請求項１】
水を保存する保存部と、
前記保存部に保存された水を給水ポンプの駆動に対応するように供給可能になるように具備される給水管と、
前記給水管から供給された水を流入させて保存部側に排出可能になるように形成された複数の保存部材１４が水平または積層可能に設置されることを含んで構成された植物栽培装置１０の保存部材１４の上面を覆うが、上面のどの位置に植木鉢を安着させても前記植木鉢側に水分を供給することができるようにした植木鉢の位置が移動可能な下敷装置において、
前記保存部材１４の上面に安着されることによってお互いに連結されて保存部材１４の上面を覆うように板状で形成されるが、板上には上面のどの位置に植木鉢を安着させても前記植木鉢底面から一端が引き出された水吸収部材側に水分を供給することができるように複数の水分供給用ホール１１１a、１１２a、１１３a、１１４aがそれぞれ形成されて具備される下敷部材１１０と、
前記複数の水分供給用ホール１１１a、１１２a、１１３a、１１４aのうちで取捨選択された水分供給用ホールを除いた水分供給用ホールをそれぞれ覆って空気中のほこりや植栽された植物の葉が保存部材１４側に流入することを防止可能になるように具備されるホール栓部材１３０と、
を含んでなされることを特徴とする植木鉢の位置が移動可能な下敷装置。
【請求項２】
前記下敷部材１１０は、
植物栽培装置１０の保存部材１４の上面に安着されることによってお互いに連結されて保存部材１４の上面を覆って異物が流入することを防止するように四角形状の断面を有する板状で形成されるが、板上にはホール栓部材１３０の開放時上面に植木鉢が位置移動可能に安着されることに対応するように植木鉢側に水分を供給可能になるように複数の水分供給用ホール１１１a、１１２a、１１３a、１１４aがそれぞれ形成された第１、２、３、４下敷板１１１、１１２、１１３、１１４と、
前記第１、４下敷板１１１、１１４の各一端が切り取りされてお互いに連結されることによって植物栽培装置１０に設置された連結部材１２と支持部材１３を貫通させて設置可能に第１、２貫通ホール１１５a、１１６aが形成されるように具備される第１、２連結板１１５、１１６がそれぞれ具備されたことを特徴とする請求項１に記載の植木鉢の位置が移動可能な下敷装置。
【請求項３】
前記ホール栓部材１３０は、
第１、２、３、４下敷板１１１、１１２、１１３、１１４に形成された複数の水分供給用ホール１１１a、１１２a、１１３a、１１４aに一端が挿入されて、係止突起１１１c、１１２c、１１３c、１１４cに係止されるように対応する断面形状で形成された安着板１３１と、
前記安着板１３１の底面から下向きに延長されて水分供給用ホール１１１a、１１２a、１１３a、１１４aに弾性的に挿入及び離脱可能になるように外側面には加圧突起１３３aが突き出されて円周方向に一定間隔で複数突き出された挿入片１３３と、
で構成されたことを特徴とする請求項１または２に記載の植木鉢の位置が移動可能な下敷装置。
【請求項４】
前記第１、２、３、４下敷板１１１、１１２、１１３、１１４の底面には、保存部材１４の底面から離隔させて保存部材１４側に流入する水の循環が円滑になされるように横方向で一定間隔複数の水案内用突起１１１b、１１２b、１１３b、１１４bがそれぞれ突出形成されて、複数の水分ホール１１１a、１１２a、１１３a、１１４aの内周面にはホール栓部材１３０の一端が挿入されることによって係止可能になるように係止突起１１１c、１１２c、１１３c、１１４cがそれぞれ形成されたことを特徴とする請求項３に記載の植木鉢の位置が移動可能な下敷装置。
【請求項５】
前記ホール栓部材１３０の安着板１３１中央部には水分供給用ホール１１１a、１１２a、１１３a、１１４aからピンを利用して容易に離脱させるように離脱用ホール１３１aがさらに形成されたことを特徴とする請求項３に記載の植木鉢の位置が移動可能な下敷装置。
【発明の詳細な説明】
【技術分野】
【０００１】
本発明は、植木鉢の位置が移動可能な下敷装置に関するものであり、より詳細には、水を利用して植物を栽培する植物栽培装置の保存部材上面に脱、付着可能に安着されて、上面に植木鉢の位置を変動させながら水供給を可能にさせると共に保存部材の上面に安着されることによってほこりの流入を防止可能にさせた植木鉢の位置が移動可能な下敷装置に関するものである。
【背景技術】
【０００２】
周知するところのように最近になって、水を利用して植物を栽培する植物栽培装置がたくさん開発されている成り行きにある。
このような植物栽培装置は、大部分狭小な空間、例えば、家庭のベランダに設置されるので多層構造をなしている。
【０００３】
前記した多層構造の植物栽培装置は、植物が植栽された植木鉢を収容すると共に植木鉢に植栽された植物側に水を供給可能になるように水の保存及び排出可能に上面が開口されることによって水を流入させるための流入部が形成されて、底面の一側には流入した水を排水させるための排水口が形成されて具備される保存部材を含んだ栽培ユニットを多段でお互いに積層させて最上部に具備される栽培ユニット側に水を供給して、供給された水を下に具備される栽培ユニット側に供給可能になるように給水ポンプを含んだ給水手段で構成される。
【０００４】
このようになされた従来の一般な多層構造の植物栽培装置は、給水手段から給水された水が最上部に設置された保存部材側に供給されれば、最上部に設置された栽培ユニットの保存部材側に水が供給されて保存されながら、下部に連結設置された下部栽培ユニット側に排水される。
【０００５】
前記下部栽培ユニット側に排水された水は、下部排水ユニットの保存部材に保存されながらまた、下の下部に設置されるまた他の栽培ユニット側に排水されて、結局最終給水手段の保存部に排水されて排水された水は、給水手段の給水ポンプ駆動によって循環するようになる。
【０００６】
それによって、前記保存部材に収容された植物が植栽された植木鉢側に水が持続的に供給されるので、植物の栽培が可能になる。
しかし、このようになされた従来の一般的な多層構造の植物栽培装置の保存部材は、植物が植栽された植木鉢を安着させることができるように形成されると共に水が循環可能になるように上面が開口されて形成されるので、植木鉢安着による前記植木鉢に満たされた土が排出されて植木鉢底面に形成された穴を通じて排出されることによって保存部材を汚すようになるだけでなく、排出された土が循環される水によって給水手段に流入するので、これによって故障の原因になる問題点があった。
【０００７】
また、前記したところのように従来の一般な多層構造の植物栽培装置の保存部材は、植物が植栽された植木鉢を安着させることができるように形成されると共に水が循環可能になるように上面が開口されて形成されるので、室内の空気中に含まれた浮遊物質(ほこり)または、植栽された植物の葉が保存部材に流入して循環される水が容易に汚染される問題点があった。
【発明の概要】
【発明が解決しようとする課題】
【０００８】
ここに、本発明は上述した問題点を解消するために案出されたものであり、水を利用して植物を栽培する植物栽培装置の保存部材上面を覆うように下敷装置を構成することで、上面のどの位置に植木鉢を安着させても植木鉢側に水分を供給することができるようにすると共に植木鉢から土の排出を遮断することができて給水手段の故障を防止することができるし、保存部材の上面を覆うことによって空気中のほこりや植栽された植物の葉が流入することを遮断することができて、水の汚染を防止できるようにした植木鉢の位置が移動可能な下敷装置を提供することにその目的がある。
【課題を解決するための手段】
【０００９】
前述した目的を達成するための本発明は、水を保存する保存部と、電源印加に対応するように前記保存部に保存された水を給水管を通じて給水させるために具備される給水ポンプと、前記給水管を一側に形成された貫通孔で貫通させて、一側と他側に連結部材と支持部材を媒介にお互いに離隔されるように多角度で順次に積層されることによって、給水管を通じて上部から供給される水を内側に流入及び回流させながら排出可能になるように前記貫通孔の一側には排水ホールがお互いに異なる領域に形成された保存部材で構成された栽培ユニットを含んでなされた植物栽培装置の保存部材上面を覆うが、上面のどの位置に植木鉢を安着させても前記植木鉢側に水分を供給することができるようにした植木鉢の位置が移動可能な下敷装置において、前記保存部材の上面に安着されることによってお互いに連結されて保存部材の上面を覆うように板状で形成されるが、板上には上面に植木鉢の位置を移動可能に安着させることによって植栽された植物側に水分(水)を供給可能になるように複数の水分供給用ホールがそれぞれ形成されて具備される下敷部材と、前記取捨選択された水分供給用ホールを除いた残りをそれぞれ覆って空気中のほこりや植栽された植物の葉が保存部材側に流入されることを防止可能になるように具備されるホール栓部材を含んでなされることを特徴とする。
【００１０】
また、前記した下敷部材は、植物栽培装置の保存部材１４の上面に安着されることによってお互いに連結されて、保存部材の上面を覆って異物が流入されることを防止するように四角形状の断面を有する板状で形成されるが、板上にはホール栓部材の開放時上面に植木鉢が位置移動可能に安着されることに対応するように植木鉢側に水分を供給可能になるように複数の水分供給用ホールがそれぞれ形成された第１、２、３、４下敷板と、前記第１、４下敷板の各一端が切り取りされてお互いに連結されることによって、植物栽培装置に設置された連結部材と支持部材を貫通させて設置可能に第１、２貫通ホールが形成されるように具備される第１、２連結板がそれぞれ具備されたことを特徴とする。
【００１１】
そして、前記したホール栓部材は、第１、２、３、４下敷板に形成された複数の水分供給用ホールに一端が挿入されて、係止突起に係止されるように対応する断面形状で形成された安着板と、該安着板の底面から下向きに延長されて水分供給用ホールに弾性的に挿入及び離脱可能になるように外側面には加圧突起が突き出されて円周方向に一定間隔で複数突き出された挿入片で構成されたことを特徴とする。
【発明の効果】
【００１２】
前記したところのように本発明による植木鉢の位置が移動可能な下敷装置によれば、水を利用して植物を栽培する植物栽培装置の保存部材上面を覆うように下敷装置を構成することで、上面のどの位置に植木鉢を安着させても植木鉢側に水分を供給することができるようにすると共に植木鉢から土を排出を遮断することができて、給水手段の故障を防止することができるし、保存部材の上面を覆うことによって空気中のほこりや植栽された植物の葉が流入されることを遮断することができて、水の汚染を防止することができる効果がある。
【図面の簡単な説明】
【００１３】
【図１】本発明による植木鉢の位置が移動可能な下敷装置が植物栽培装置に設置された状態を示した図面である。
【図２】本発明による植木鉢の位置が移動可能な下敷装置を示した分解斜視図である。
【図３】本発明による植木鉢の位置が移動可能な下敷装置を示した底面結合斜視図である。
【発明を実施するための形態】
【００１４】
以下では、本発明による植木鉢の位置が移動可能な下敷装置の一実施例を挙げて詳細に説明する。
まず、図面のうち、同一の構成要素または部品は、できるだけ同一の参照符号を示していることに留意しなければならない。本発明を説明するにおいて、係わる公知機能、あるいは構成に対する具体的な説明は、発明の要旨を曖昧でないようにするために略する。
【００１５】
本発明による植木鉢の位置が移動可能な下敷装置は、保存部材が多角度で順次に積層されて構成された植物栽培装置に構成できるだけではなく、保存部材を水平状態で複数構成された植物栽培装置にも適用可能であり、以下の実施例では保存部材が多角度で順次に積層されて構成された植物栽培装置に適用されることを一例を挙げて説明する。
【００１６】
添付された図１乃至図３に示されたところのように本発明による植木鉢の位置が移動可能な下敷装置は、水を保存する保存部(図示せず)と、前記保存部に収容されて電源印加に対応するように駆動することによる保存部に保存された水を給水管(図示せず)を通じて給水させるための給水ポンプ(図示せず)を実装させて具備されるケース１１と、前記給水管を一側に形成された貫通孔(図示せず)で貫通させて、一側と他側に連結部材１２と支持部材１３を媒介にお互いに離隔されるように多角度で順次に積層されることによって給水管を通じて上部から供給される水を内側に流入及び回流させながら排出可能になるように前記貫通孔の一側には排水ホール(図示せず)がお互いに異なる領域に形成された保存部材１４で構成された栽培ユニット１５を含んでなされた植物栽培装置１０の保存部材１４の上面を覆うが、上面のどの位置に植木鉢を安着させても前記植木鉢の底面から一端が引き出された水吸収部材側に水分を供給することができるように構成することで、植木鉢を直接保存部材１４に安着させなくても水分が供給されるので、これによって植木鉢に充填された土の排出によって保存部材の汚染を防止することができるし、土による給水手段の故障を防止することができるし、それと共に保存部材１４の上面を覆うようになるので、植木鉢に植栽された植物の葉や空気中のほこりによって給水の汚染を防止できるように構成される。
【００１７】
すなわち、前記本発明による植木鉢の位置が移動可能な下敷装置１００は、上面が開口された保存部材１４の上面に安着されることによってお互いに連結されて保存部材１４の上面を覆うように板状で形成されるが、板上には上面に植木鉢の位置を移動可能に安着させることによって植栽された植物側に水分(水)を供給可能になるように複数の水分供給用ホールがそれぞれ形成されて具備される下敷部材１１０と、前記取捨選択された水分供給用ホールを除いた残りをそれぞれ覆って空気中のほこりや植栽された植物の葉が保存部材１４側に流入されることを防止可能になるように具備されるホール栓部材１３０を含んでなされる。
【００１８】
以下で、前記した本発明による植木鉢の位置が移動可能な下敷装置に対してより詳細に説明すれば次のようである。
先ず、本発明による植木鉢の位置が移動可能な下敷装置１００の下敷部材１１０は、図１乃至図３に示されたところのように保存部材１４の上面に安着されることによってお互いに連結されて保存部材１４の上面を覆って異物が流入されることを防止して、上面に植木鉢の位置移動に対応するように水分の供給が可能になるように具備される。
【００１９】
すなわち、前記下敷部材１１０は、植物栽培装置１０の保存部材１４の上面に安着されることによってお互いに連結されて、保存部材１４の上面を覆って異物が流入されることを防止するように四角形状の断面を有する板状で形成されるが、板上には上面に植木鉢が位置移動可能に安着されることに対応するように植木鉢側に水分を供給可能になるように複数の水分供給用ホール１１１a、１１２a、１１３a、１１４aがそれぞれ形成されて、底面には保存部材１４の底面から離隔させて保存部材１４側に流入される水の循環が円滑になされるように横方向に一定間隔複数の水案内用突起１１１b、１１２b、１１３b、１１４bがそれぞれ突出形成された第１、２、３、４下敷板１１１、１１２、１１３、１１４と、前記第１、４下敷板１１１、１１４の各一端が切り取りされてお互いに連結されることによって、植物栽培装置１０に設置された連結部材１２と支持部材１３を貫通させて設置可能に第１、２貫通ホール１１５a、１１６aが形成されるように具備される第１、２連結板１１５、１１６がそれぞれ具備される。
【００２０】
また、前記した第１、２、３、４下敷板１１１、１１２、１１３、１１４にそれぞれ形成された複数の水分供給用ホール１１１a、１１２a、１１３a、１１４aは、内周面にはホール栓部材１３０の一端が挿入されることによって係止可能になるように係止突起１１１c、１１２c、１１３c、１１４cがそれぞれ形成される。
【００２１】
一方、前記した下敷部材１１０は、第１、２、３、４下敷板１１１、１１２、１１３、１１４と、前記第１、４下敷板１１１、１１４の各一端にお互いに連結されるように具備される第１、２連結板１１５、１１６で構成されるが、これに限定するものではなくて、第２、３下敷板を分割して構成しないで、単一体で構成することもできるだけではなく、第１、２下敷板１１１、１１２を単一体で構成することもでき、第３、４下敷板１１３、１１４を単一体で構成することもできる。
【００２２】
前記したホール栓部材１３０は、図１乃至図２に示されたところのように取捨選択された水分供給用ホール１１１a、１１２a、１１３a、１１４aを除いた複数の水分供給用ホールをそれぞれ塞いで空気中の異物や、植木鉢に充填された土または植栽された植物の葉が保存部材１４側に流入されることを防止可能になるように具備される。
【００２３】
すなわち、前記したホール栓部材１３０は、第１、２、３、４下敷板１１１、１１２、１１３、１１４に形成された複数の水分供給用ホール１１１a、１１２a、１１３a、１１４aに一端が挿入されて係止突起１１１c、１１２c、１１３c、１１４cに係止されるように対応する断面形状で形成された安着板１３１と、該安着板１３１の底面から下向きに延長されて水分供給用ホール１１１a 、１１２a、１１３a、１１４aに弾性的に挿入及び離脱可能になるように外側面には加圧突起１３３aが突き出されて円周方向に一定間隔で複数突き出された挿入片１３３で構成される。
【００２４】
また、前記したホール栓部材１３０の安着板１３１中央部には、水分供給用ホール１１１a、１１２a、１１３a、１１４aからピンのような工具を利用して容易に離脱させるように離脱用ホール１３１aがさらに形成される。
【００２５】
このようになされた本発明による植木鉢の位置が移動可能な下敷装置を植物栽培装置に先ず設置しようとする場合には、添付された図１乃至図３に示されたところのように先ず、第１、２連結板１１５、１１６が分離された下敷部材１１０の第１、４下敷板１１１、１１４を植物栽培装置の保存部材１４上面に連結部材１２と支持部材１３を一側面に一部収容させながら安着させる。
【００２６】
以後、第２、３下敷板１１２、１１３を保存部材１４の上面に安着された前記第１、４下敷板１１１、１１４とお互いに連結されるように安着させる。
前記のように保存部材１３の上面に下敷部材１１０の第１、２、３、４下敷板１１１、１１２、１１３、１１４がお互いに連結されるように安着されれば、保存部材１４の上面の両側端に第１、２連結板１１５、１１６を第１、４下敷板１１１、１１４に連結させながら安着させる。
【００２７】
このように下敷部材１１０の第１、２、３、４下敷板１１１、１１２、１１３、１１４と第１、２連結板１１５、１１６が保存部材１４の上面に安着されることによって前記保存部材１４の上面は下敷部材１１０によって覆われるようになる。
【００２８】
この時、水吸収部材が引き出された植木鉢を前記下敷部材１１０の上面、すなわち、第２下敷板１１２上に乗せようとする場合、先ず、ピンを利用して第２下敷板１１２上に形成された水分供給用ホール１１２aを塞いでいるホール塞ぎ部材１３０を離脱させる。
【００２９】
以後、植木鉢から引き出された水吸収部材を水分供給用ホール１１２a側に挿入させながら植木鉢を第２下敷板１１２の上面に載せる。
前記のように植木鉢を第２下敷板１１２上面に載せるようになれば、水吸収部材を通じて水分が植木鉢側に供給される。
【００３０】
このように第２下敷板１１２の上面に載せた植木鉢を一側に移動させようとする場合、移そうとする位置の水分供給用ホールを塞いでいるホール塞ぎ部材を離脱させた後、前記のように水吸収部材を水分供給用ホール側に挿入させながら植木鉢を第２下敷板の上面に載せることにより植木鉢の位置が移動可能になる。
【００３１】
以上のように本発明による植木鉢の位置が移動可能な下敷装置によって故障部材の上面を覆うようになるので、異物の流入を防止することができるし、植木鉢の位置を自由にすることができるようになる。
【００３２】
以上で説明した本発明は、前述した実施例及び添付された図面によって限定されるものではなくて、本発明の技術的思想を脱しない範囲内でさまざまな置き換え、変形及び変更が可能であることは本発明が属する技術分野で通常の知識を有する者において明白であろう。
【図１】
2013543737.tif 000003
【図２】
2013543737.tif 000004
【図３】
2013543737.tif 000005
【国際調査報告】
2013543737.tif 000006
2013543737.tif 000007
2013543737.tif 000008
2013543737.tif 000009